(57)【特許請求の範囲】
【請求項１】
持ち運びが可能な棒と、前記棒の先端部に設けられた回転支持部に回動可能に軸支された点検ハンマーと、前記点検ハンマーを回動させるためのワイヤーと、前記点検ハンマーを打撃対象から離隔した退避位置側に付勢する付勢機構と、を備え、
前記点検ハンマーは、持ち手部と、前記持ち手部の一端部に固定された打撃部と、を有し、
前記持ち手部の一端部とは前記回転支持部を間に挟んで反対側の他端部には、前記ワイヤーが取り付けられ、
前記棒の傾きにより、自由に打撃する向きが変えられ、
前記ワイヤーを引っ張ることで前記点検ハンマーは、前記回転支持部を回転中心として打撃対象に向けて回転して打撃し、前記ワイヤーを緩めることで前記付勢機構の付勢力により前記点検ハンマーは打撃対象から前記退避位置側に戻ることを特徴とする打音調査用具。
【請求項２】
前記付勢機構は、付勢部材と、当該付勢部材の一端を支持するバネ支持材と、前記付勢部材の他端と前記点検ハンマーとの間を継ぐ継ぎ材を有し、
前記バネ支持材は、前記棒における前記回転支持部よりも基端部よりに、可動支持部を介して前記棒の長手方向に沿って移動可能に取り付けられ、
前記継ぎ材の前記付勢部材とは反対側の端部は、前記持ち手部における前記打撃部と前記回転支持部との間に回動可能に取り付けられ、付勢部材の強さは前記バネ支持材の前記棒における長手方向の位置を変更することにより調整可能であることを特徴とする請求項１に記載の打音調査用具。
【請求項３】
前記棒は伸縮することで任意の長さに調整可能であることを特徴とする請求項１又は請求項２に記載の打音調査用具。
【請求項４】
前記ワイヤーの長さは、ワイヤークリップによって調整可能であることを特徴とする請求項１から請求項３の何れか一項に記載の打音調査用具。
【発明の詳細な説明】
【技術分野】
【０００１】  本発明は、構造物の点検作業において、手の届かないような離れた箇所を打撃することで、コンクリートの浮き等の損傷を発見するための打音調査用具である。
【背景技術】
【０００２】  高度経済成長期に集中的に建設された橋やトンネルなどが一斉に老朽化を迎えようとしていることが予想されている。経年劣化、老朽化したインフラを健全な状態で維持管理していくためにも、点検や調査が果たす役割は大きい。打音調査は、コンクリートやタイルなどの構造物表面の浮きや剥離などの損傷を発見するために行われる調査で、構造物の維持管理や第三者被害防止のための重要な点検方法である。
【先行技術文献】
【特許文献】
【０００３】
【特許文献１】特開２０１６−１６６８１９号公報
【非特許文献】
【０００４】
【非特許文献１】意願２０００−１００７０号公報
【発明の概要】
【発明が解決しようとする課題】
【０００５】  上述の特許文献１では、回転物で打音を調査するため、緊急性のある浮きに対して叩き落としは出来ない。また、重量が大きいため取り回しが困難、電源が必要、構造が複雑で故障などの際のメンテナンスが必要といったことが挙げられる。一方、非特許文献１では、長い棒状のものを振り回す空間が必要で、狭小部では使用しづらい。また、打撃を繰り返すことで伸縮部分が押されて縮むために連続して打撃を繰り返すことが困難であった。【０００６】  そこで、軽量で取り回しやすく、様々な構造物にも対応することができ、点検作業の効率を向上することが可能な打音調査用具を提供することを目的とし、伸縮可能な棒の先端に点検ハンマーを取付けてワイヤーを引っ張ることで、構造物に打撃を与えることを目的とするものである。
【課題を解決するための手段】
【０００７】  請求項１に係る打音調査用具は、持ち運びが可能な棒と、前記棒の先端部に設けられた回転支持部に回動可能に軸支された点検ハンマーと、前記点検ハンマーを回動させるためのワイヤーと、前記点検ハンマーを打撃対象から離隔した退避位置側に付勢する付勢機構と、を備え、
前記点検ハンマーは、持ち手部と、前記持ち手部の一端部に固定された打撃部と、を有し、
前記持ち手部の一端部とは前記回転支持部を間に挟んで反対側の他端部には、前記ワイヤーが取り付けられ、
前記棒の傾きにより、自由に打撃する向きが変えられ、
前記ワイヤーを引っ張ることで前記点検ハンマーは、前記回転支持部を回転中心として打撃対象に向けて回転して打撃し、前記ワイヤーを緩めることで前記付勢機構の付勢力により前記点検ハンマーは打撃対象から前記退避位置側に戻ることを特徴とする。【０００８】  請求項２に係る打音調査用具は、前記付勢機構は、付勢部材と、当該付勢部材の一端を支持するバネ支持材と、前記付勢部材の他端と前記点検ハンマーとの間を継ぐ継ぎ材を有し、
前記バネ支持材は、前記棒における前記回転支持部よりも基端部よりに、可動支持部を介して前記棒の長手方向に沿って移動可能に取り付けられ、
前記継ぎ材の前記付勢部材とは反対側の端部は、前記持ち手部における前記打撃部と前記回転支持部との間に回動可能に取り付けられ、付勢部材の強さは前記バネ支持材の前記棒における長手方向の位置を変更することにより調整可能であることを特徴とする。【０００９】  請求項３に係る打音調査用具は、前記棒は伸縮することで任意の長さに調整可能であることを特徴とする。【００１０】  請求項４に係る打音調査用具は、前記ワイヤーの長さは、ワイヤークリップによって調整可能であることを特徴とする。
【発明の効果】
【００１１】  本発明は、ワイヤーの操作だけで点検ハンマーを回動させて打撃対象を打撃できる構成であるため、モーター等の駆動源や電源が不要であり、持ち運びし易く、取り回しがしやすく、狭小部や足場が悪く不安定などの理由により、長い棒状のものを振り回すことが出来ない箇所（打撃対象）の打音調査及び、コンクリートの浮きや剥離などの損傷箇所の叩き落としを行うことができる。
また、付勢部材の付勢力によってハンマーを元の位置（退避位置）に戻せるようにしたことで打撃対象としての構造物壁面の調査にも利用できる。作業時に伸縮可能な棒の伸縮部分に縮むような力が作用しにくいので、連続して構造物の打撃を繰り返すことができる。
【図面の簡単な説明】
【００１２】
【図１】本発明に係る打音検査用具の構成を説明する全体図である。
【図２】打音検査用具における要部（可動部分）の拡大図である。
【図３】構造物下面の使用前状況（打撃前の状態）図である。
【図４】構造物下面の使用後状況（打撃した状態）図である。
【図５】構造物壁面の使用前状況（打撃前の状態）図である。
【図６】構造物壁面の使用後状況（打撃した状態）図である。
【発明を実施するための形態】
【００１３】  本発明の実施形態を図面を用いて説明する。なお、以下において説明する実施形態は例示であって本発明に限定するものでは無く、特許請求の範囲に記載した発明特定事項の範囲内で任意に構成が変更することができる。
図１は本実施形態における打音調査用具１の全体の構成を説明する図である。また、図２は、打音調査用具１の要部、即ち、可動部を拡大した図である。打音調査用具１は、棒２と、前記棒２の先端部に設けられた回転支持部９に回転可能に軸支された点検ハンマー５と、前記点検ハンマー５を作業者が回動操作するための、例えば、ステンレス製のワイヤー３と、点検ハンマー５を打撃対象から離隔した退避位置（図２において実線で示す位置）側に付勢する付勢機構１２と、を備えている。なお、退避位置は、後述するように、バネ支持材１４の棒２における位置や付勢部材１３の全長や付勢力等に応じて変化するため、必ずしも図２において実線に示した位置になるとは限られない。
点検ハンマー５は、持ち手部６と、前記持ち手部６の一端部に固定された、例えば、金属製の打撃部７を有し、持ち手部６の一端部とは回転支持部９を間に挟んで反対側の他端部には、ワイヤー３が取り付けられている。ワイヤー３は、ワイヤークリップ４で長さを調整することができる。また、本実施形態におけるワイヤー３の端部には、作業者が把持するための取手１６を備えていなくても良い。
【００１４】  また、付勢機構１２は、付勢部材１３としての一部である引張バネと、当該付勢部材１３の一端を支持する、例えば、金属製のバネ支持材１４と、付勢部材１３の他端と点検ハンマー５との間を継ぐ、例えば、金属製の継ぎ材１１と、を有している。バネ支持材１４は、棒２における回転支持部９よりも基端部寄りに、可動支持部１５を介して棒２の長手方向に沿って移動可能に取り付けられ、継ぎ材１１の付勢部材１３とは反対側の端部は、持ち手部６における打撃部７と回転支持部９との間に回転可能に取り付けられている。
本実施形態における棒２は、例えば、アルミニウムから構成され、伸縮することで任意の長さに調整可能に構成されている。なお、このような棒２の伸縮する機構は周知技術であるため、その説明は省略する。
【００１５】  図３及び図４は、橋梁等の構造物の下面（換言すると、天井面）を打音調査する際の打音調査用具１の使用状態を説明する図であり、図３は打撃前の状態、図４は打撃した状態、をそれぞれ示している。
また、図５及び図６は、構造物の壁面（換言すると、側面）を打音調査する際の打音調査用具１の使用状態の一例を示す図であり、図５は打撃前の状態、図６は打撃した状態、をそれぞれ示している。図３に示すように、作業者がワイヤー３を引っ張ること（図２中のハッチングで示す矢印参照）により点検ハンマー５が付勢機構１２の付勢力に抗しながら回転支持部９を中心に回動し（図２中の白抜き矢印参照）、打撃部７が構造物下面を打撃する。その後、ワイヤー３の引っ張りを緩めることにより、付勢機構１２と付勢部材１３の付勢力によって点検ハンマー５が回動して元の退避位置側に戻る。このように、ワイヤー３を引っ張ったり緩めたりを繰り返すことで、打撃を繰り返し行うことができる。
【００１６】  また、図５及び図６に示す様に、構造物の壁面を打音調査する場合等のように、点検ハンマー５の自重だけでは退避位置に戻りにくい状況であっても、本実施形態における打音調査用具１によれば、付勢機構１２によって点検ハンマー５が退避位置に戻るので、構造物壁面でも打撃を繰り返し行うことができる。
【００１７】  以上のように、打音調査用具１、上記の構成を採用することにより、連続して打撃を繰り返すことが可能となる。また、棒２の長手方向におけるバネ支持材１４の位置を変えることで、付勢部材１３と点検ハンマー５とを直結することは可能であるが、付勢部材１３と点検ハンマー５との間に継ぎ材１１を入れることにより、市販されているバネの使用とハンマーの可動範囲の調整を行うことが可能となる。このため、汎用性が高められている。また、点検ハンマー５に関し、重量を打音調査用の２３０グラムから、叩き落し用の９１０グラムに重くすることや、打撃部７の先端を尖った形状にすること、強くワイヤー３を引っ張るなどといったことにより、打撃力を高め、緊急性のある叩き落しにも対等可能である。さらに、伸縮可能な棒２、及び長さ調整が可能なワイヤー３を用いることで高い場所、広い範囲まで届くものにしている。
【００１８】  以上説明したように、本発明は、ワイヤー３の操作だけで点検ハンマー５を回動させて打撃対象を打撃できる構成であるため、従来のようなモーター等の駆動源や電源が不要であり、持ち運びし易い打音調査用具１とすることで、取り回しがしやすく、狭小部や足場が悪く不安定などの理由により、長い棒状のものを振り回すことが出来ない箇所（打撃対象）の打音調査及び、コンクリートの浮きや剥離等の損傷箇所の叩き落としを行うことができる。また、付勢部材１３の付勢力によってハンマーを元の位置（退避位置）に戻せるようにしたことで構造物壁面の調査にも利用できる。作業時に伸縮可能な棒２に縮むような力が作用しにくいので、打撃を繰り返していくうちに棒２が意図せず縮むことが抑制され、連続して構造物の打撃を繰り返すことができる。
【００１９】  上記の実施形態では、伸縮可能な棒はアルミニウム製の棒２を使用したが、ステンレス製や強度のある樹脂製、または他の素材でも使用可能である。
【００２０】  上記の実施形態では、伸縮可能な棒２を使用したが、伸縮しない棒でも使用可能である。
【００２１】  上記の実施形態では、ステンレス製のワイヤー３を使用したが、アルミニウム製や銅製といったほかの素材でも使用可能である。
【００２２】  上記の実施形態では、ワイヤー３を使用したが、本発明におけるワイヤーとしてポリプロピレン製のビニール紐やパルプを使った紙紐といったほかの紐状のものでも使用可能である。
【００２３】  上記の実施形態では、ワイヤークリップ４を使用したが、ワイヤー３の長さを調整できるものなら他の部品でも使用可能である。
【００２４】  上記の実施形態では、打撃部７が金属製の点検ハンマー５を使用したが、樹脂製のプラスチックハンマーや木製の木槌といった他の素材でも使用可能である。
【００２５】  上記の実施形態では、点検ハンマー５の重量は２３０グラム程度の打音調査用ハンマーだが、９１０グラム程度の叩き落し用ハンマーでも使用可能である。
【００２６】  上記の実施形態では、継ぎ材１１として金属製のプレートを使用したが、木製や強度のある樹脂製といった他の素材でも使用可能である。
【００２７】  上記の実施形態では、本発明の付勢部材１３として、引張バネを使用したが、ゴム製品といった引張力があるほかの部品でも付勢部材１３として使用可能である。
【００２８】  上記の実施形態では、点検ハンマー５の連結部と、バネ支持材１４の間には、継ぎ材１１と付勢部材１３を使用したが、適した長さの付勢部材１３がある場合は、継ぎ材１１を省略しても使用可能である。
【００２９】  上記の実施形態では、バネ支持材１４として、周知のＬ型金属製プレートを使用したが、木製や強度のある樹脂製といった他の素材でも使用可能である。
【００３０】  上記の実施形態では、バネ支持材１４として、平型のプレートを使用したが、接続できるなら柱状や筒状といった他の形状の支持材でも使用可能である。
【符号の説明】
【００３１】１    打音調査用具
２    棒
３    ワイヤー
４    ワイヤークリップ
５    点検ハンマー
６    持ち手部
７    打撃部
８    ワイヤー接続部
９    回転支持部
１０  連結部
１１  継ぎ材
１２  付勢機構
１３  付勢部材
１４  バネ支持材
１５  可動支持部
１６  取手
【要約】
【課題】  本発明は、構造物の点検作業において、手の届かないような離れた箇所を打撃することで、浮き等の損傷を発見するための打音調査用具である。
【解決手段】    本発明の打音調査用具（１）は、棒（２）と、前記棒の先端部に設けられた回転支持部（９）に回動可能に軸支された点検ハンマー（５）と、前記点検ハンマーを回動させるためのワイヤー（３）と、前記点検ハンマーを打撃対象から離隔した退避位置側に付勢する付勢機構（１２）と、を備え、
前記点検ハンマーは、持ち手部（６）と、前記持ち手部の一端部に固定された打撃部（７）と、を有し、
前記持ち手部の一端部とは前記回転支持部を間に挟んで反対側の他端部には、前記ワイヤーが取り付けられ、
前記ワイヤーを引っ張ることで前記点検ハンマーは、前記回転支持部を回転中心として打撃対象に向けて回転して打撃し、前記ワイヤーを緩めることで前記付勢機構の付勢力により前記点検ハンマーは打撃対象から前記退避位置側に戻ることを特徴とする打音調査用具。
【選択図】図２【図１】
0006842605.tif 000002
【図２】
0006842605.tif 000003
【図３】
0006842605.tif 000004
【図４】
0006842605.tif 000005
【図５】
0006842605.tif 000006
【図６】
0006842605.tif 000007